(57)【要約】【課題】直進筒の移動量を短縮することなく、固定筒の強度を低下させないレンズ鏡筒を得る。【解決手段】固定筒１には直進筒３を直進移動させるための直進ガイド溝１ａが、円周方向の３個所において光軸方向に必要量延在して設けられ、直進ガイド溝１ａの溝幅の中心部に補強リブ１ｄがそれぞれ配置されている。  直進ガイド溝１ａに係合するカムフォロア４には、直進ガイド溝１ａの溝幅に係合する第１の係合部４ａと、圧入係合する位置決め円筒部４ｂと、固定筒１に設けられた補強リブ１ｄに挿入するため第２の係合部４ｃが設けられている。【選択図】図４
2010276637.tif 000002
【特許請求の範囲】
【請求項１】
直進ガイド溝を有する固定筒と、該固定筒に径嵌合し複数のカム溝を有するカム筒と、前記固定筒と前記カム筒の外周側に配置され、前記カム筒の回転に伴って光軸方向にレンズ群を移動する直進筒と、該直進筒に固定され前記固定筒の直進ガイド溝と前記カム筒のカム溝に係合するカムフォロアとを有し、前記カム筒を光軸を中心に回転することによってレンズ保持鏡筒を光軸方向に移動させるレンズ鏡筒において、前記直進ガイド溝に沿って補強リブを設け、前記カムフォロアは前記直進ガイドに係合すると共に前記補強リブに係合することを特徴とするレンズ鏡筒。
【請求項２】
前記補強リブは前記直進ガイド溝の溝幅の中心部に光軸方向へ延在して配置したことを特徴とする請求項１に記載のレンズ鏡筒。
【請求項３】
前記カムフォロアは前記直進ガイド溝に係合する第１の係合部と、前記補強リブと係合する第２の係合部とを有し、前記第１の係合部と前記直進ガイド溝とのクリアランスは、前記第２の係合部と前記補強リブとのクリアランスよりも小さいことを特徴とする請求項１又は２に記載のレンズ鏡筒。
【請求項４】
請求項１〜３の何れか１つの請求項のレンズ鏡筒を有することを特徴とする光学機器。
【発明の詳細な説明】
【技術分野】
【０００１】
本発明は、デジタルカメラ、ビデオカメラ、テレビカメラ等の撮像装置に好適なレンズ鏡筒に関するものである。
【背景技術】
【０００２】
ビデオカメラ、デジタルカメラ等の撮像装置において、フォーカスやズーミングのためにレンズ保持枠を光軸方向に移動させる構成として、固定筒に光軸に平行な直進ガイド溝が設けられ、光軸回りに回転可能に支持されたカム筒にカム溝が設けられている。そして、直進ガイド溝とカム溝に係合するカムフォロア、このカムフォロアを支持する直進筒、この直進筒に固定されるレンズ保持枠を有している。即ち、カム筒を光軸回りに回転させることで、カム溝の形状に沿って直進筒と共にレンズ保持枠が光軸方向に進退する構成とされている。
【０００３】
上述の構成のレンズ鏡筒において、複数の光学部材を光軸方向に移動させる際に、直進ガイド溝の数を増やすと固定筒の強度が低下するという問題がある。そこで、特許文献１に記載のレンズ鏡筒では、直進ガイド溝の溝幅を変化させることで光学部材の移動を制限する手段を、直進ガイド溝に持たせることにより、光学部材が増えても直進ガイド溝を増やさない構成としている。
【先行技術文献】
【特許文献】
【０００４】
【特許文献１】特開平７−２９４７９７号公報
【発明の概要】
【発明が解決しようとする課題】
【０００５】
しかし特許文献１に開示された従来技術では、直進筒の移動量が大きくなると、固定筒に設けられた直進ガイド溝が長くなり固定筒の強度が弱くなり、衝撃等によりレンズ鏡筒が破損してしまう虞れがある。そのため、直進筒の移動量を短縮する必要があり、設計の自由度が制限される。
【０００６】
本発明の目的は、上述の課題を解消し、直進筒の移動量を短縮することなく、更に固定筒の強度を低下させないレンズ鏡筒を提供することにある。
【課題を解決するための手段】
【０００７】
上記目的を達成するための本発明に係るレンズ鏡筒は、直進ガイド溝を有する固定筒と、該固定筒に径嵌合し複数のカム溝を有するカム筒と、前記固定筒と前記カム筒の外周側に配置され、前記カム筒の回転に伴って光軸方向にレンズ群を移動する直進筒と、該直進筒に固定され前記固定筒の直進ガイド溝と前記カム筒のカム溝に係合するカムフォロアとを有し、前記カム筒を光軸を中心に回転することによってレンズ保持鏡筒を光軸方向に移動させるレンズ鏡筒において、前記直進ガイド溝に沿って補強リブを設け、前記カムフォロアは前記直進ガイドに係合すると共に前記補強リブに係合することを特徴とする。
【発明の効果】
【０００８】
本発明に係るレンズ鏡筒によれば、レンズ群を保持する直進筒の移動量を短縮することなく、固定筒の強度を低下させることがない。
【図面の簡単な説明】
【０００９】
【図１】広角状態のレンズ鏡筒の断面図である。
【図２】望遠状態のレンズ鏡筒の断面図である。
【図３】要部の分解斜視図である。
【図４】光軸直交平面での拡大断面図である。
【発明を実施するための形態】
【００１０】
本発明を図示の実施例に基づいて詳細に説明する。
図１は実施例のデジタルカメラ等の光学機器に取り付ける交換可能なレンズ鏡筒を広角状態の光軸を含む平面で切断した断面図、図２は望遠状態の光軸を含む平面で切断した断面を示している。
【００１１】
図示しないカメラ本体等に着脱可能に固定される固定筒１に対し、外周のカム筒２を介して直進筒３が更にその外周側に、前後方向に移動自在に取り付けられている。固定筒１には、周方向に等分に光軸方向に延在する複数の直進ガイド溝１ａが設けられ、固定筒１の外周面１ｂはカム筒２の内径面２ｂが径嵌合している。カム筒２には周方向に等分に、複数のカム溝２ａが設けられている。カム筒２は固定筒１に形成されたバヨネット爪１ｃとカム筒２に形成された周溝部２ｃとが係合し、カム筒２の光軸方向への移動が規制されている。
【００１２】
固定筒１の直進ガイド溝１ａとカム筒２のカム溝２ａにカムフォロア４が係合し、カム筒２が固定筒１に対し光軸中心に回転すると、カムフォロア４はカム溝２ａの形状に沿って、光軸方向に移動可能に支持されている。
【００１３】
直進筒３は固定ビス５によりカムフォロア４と一体的に固定されており、カム筒２の回転によりカムフォロア４の光軸方向の移動に伴って光軸方向に移動するようになっている。直進筒３に形成された面３ａはカム筒２の外径面に径嵌合されているか、前述の複数のカムフォロア４により一意的に位置が決定される場合は、適度に径方向にがたを持っている。
【００１４】
レンズ保持鏡筒６は光軸方向に移動する移動レンズ群７を保持しており、レンズ保持鏡筒６の面６ａと直進筒３の面３ｃとが接触し、ビス８等により直進筒３に固定されている。
【００１５】
このような構成により、図１の広角状態から図２の望遠状態まで、カム筒２による光軸回りの回転により、カムフォロア４、カム溝２ａ、直進筒３、レンズ保持鏡筒６を介して移動レンズ群７を光軸方向に直進移動させる。
【００１６】
図３は図１のカムフォロア４をレンズ鏡筒に組み込む前の要部の分解斜視図、図４は図１にレンズ鏡筒のカムフォロア４の位置における光軸直交平面での拡大断面図である。
【００１７】
前述のように、固定筒１には直進筒３を直進移動させるための直進ガイド溝１ａが、直進筒３の移動量を確保するため円周方向の３個所において光軸方向に必要量延在して設けられている。ここで、直進筒３の移動量が大きい場合に、直進ガイド溝１ａにより固定筒１の強度が低下することはないようにされている。即ち本実施例では、直進ガイド溝１ａの溝幅Ａの中心部に幅Ｂの補強リブ１ｄが設けられている。補強リブ１ｄは円周方向の３個所に配置された直進ガイド溝１ａの溝幅の中心部にそれぞれ配置されている。
【００１８】
略円柱状のカムフォロア４は、直進ガイド溝１ａの溝幅Ａと係合する第１の係合部４ａと、直進筒３に設けたカムフォロア位置規制部３ｂに圧入係合する位置決め円筒部４ｂとが合成樹脂によりアウトサート成形によって一体的に形成されている。ここで、固定筒１に設けられた補強リブ１ｄを挿入するため、カムフォロア４には幅Ｃの第２の係合部４ｃが設けられている。この第２の係合部４ｃの幅は、補強リブ１ｄの幅Ｂよりも大きい寸法に設定されている。
【００１９】
また、直進ガイド溝１ａの溝幅Ａとカムフォロア４の第１の係合部４ａとのクリアランスは、補強リブ１ｄと第２の係合部４ｃのクリアランスよりも小さく設定されている。これは、カムフォロア４の第１の係合部４ａが合成樹脂によりアウトサート成形によって形成されているので、その外径寸法を高精度で作成することができるためである。このため、直進ガイド溝１ａの溝幅Ａとカムフォロア４の第１の係合部４ａとのクリアランス管理が容易となり、高精度に直進筒３を保持することが可能となる。
【００２０】
以上の説明では、本発明の好ましい実施例について述べたが、本発明はこれらの実施例に限定されないことは云うまでもなく、その要旨の範囲内で種々の変形及び変更が可能である。
【符号の説明】
【００２１】
１  固定筒
１ａ  直進ガイド溝
１ｄ  補強リブ
２  カム筒
２ａ  カム溝
３  直進筒
４  カムフォロア
４ａ  第１の係合部
４ｂ  位置決め円筒部
４ｃ  第２の係合部
６  レンズ保持鏡筒
７  移動レンズ群
【図１】
2010276637.tif 000003
【図２】
2010276637.tif 000004
【図３】
2010276637.tif 000005
【図４】
2010276637.tif 000006